(57)【特許請求の範囲】
【請求項１】
蓋体を開閉させて光ディスクの挿抜を行うクラムシェル型の光ディスク装置であって、
当該光ディスク装置本体側に設けられ、光ディスクの外周に接するように設けられたブレーキゴムを有するとともに、応力によりスライドし、回転する光ディスクにブレーキをかけるブレーキ片と、
前記ブレーキ片を常に前記光ディスクに押しつけるばねと、
前記光ディスク装置本体と嵌合して開閉する前記蓋体に設け、前記ブレーキ片と係合し、かつ、前記ブレーキ片をスライドさせるツメ部とを備え、
前記ツメ部を、前記蓋体が閉じた時、及び前記蓋体が完全に開いた時に、前記ブレーキ片と係合する形状にした、
ことを特徴とする光ディスク装置。
【請求項２】
請求項１記載の光ディスク装置において、
前記ツメ部は、その回転中心を、前記蓋体が開閉するための蓋体の回転中心とし、該蓋体と一体して回動する、
ことを特徴とする光ディスク装置。
【請求項３】
請求項１または２記載の光ディスク装置において、
前記ツメ部は、前記蓋体を閉じた時に前記ブレーキ片の上方と係合する上方のツメと、前記蓋体を完全に開いた時に前記ブレーキ片の下方と係合する下方のツメとからなる、
ことを特徴とする光ディスク装置。
【発明の詳細な説明】
【０００１】
【発明の属する技術分野】
本発明は、光ディスク装置に関し、特に、蓋が開いた際に回転する光ディスクにブレーキをかける構造を有する光ディスク装置に関するものである。
【０００２】
【従来の技術】
従来において、回転する光ディスクにブレーキをかける構造を有する光ディスク装置は、図３に示すように、光ディスク装置本体６側に設けられ、光ディスク５の外周に接するよう設けられたブレーキゴム７を有するとともに、応力によりスライド可能なブレーキ片３と、前記ブレーキ片３を常に前記光ディスク５に押し付けるばね４と、前記本体６と嵌合して開閉する蓋１に設けられ前記ブレーキ片３と係合し、前記ブレーキ片３をスライドさせる係止用ツメ部２より構成され、前記係止用ツメ部２を蓋１が閉じた際に、ブレーキ片３を光ディスク５より離すよう構成したものである。
【０００３】
【発明が解決しようとする課題】
しかしながら、従来の光ディスク装置では、蓋を開き光ディスクを装着あるいは交換する際に、ブレーキ片が、常に光ディスクの外周に接する位置にあり、光ディスクを装着するためには、光ディスクによりブレーキ片を押しのけることが必要で、装着時に光ディスクを押し上げる方向に力が加わり、光ディスクが、正規の位置に安定して保持されにくいという問題があった。
【０００４】
本発明は、前記のような問題点を解決するためになされたものであり、光ディスクの装着時に、前記光ディスクを正規の位置に安定して装着することができる光ディスク装置を提供することを目的としている。
【０００５】
【課題を解決するための手段】
前記課題を解決するために、本発明（請求項１）に係る光ディスク装置は、蓋体を開閉させて光ディスクの挿抜を行うクラムシェル型の光ディスク装置であって、当該光ディスク装置本体側に設けられ、光ディスクの外周に接するように設けられたブレーキゴムを有するとともに、応力によりスライドし、回転する光ディスクにブレーキをかけるブレーキ片と、前記ブレーキ片を常に前記光ディスクに押しつけるばねと、前記光ディスク装置本体と嵌合して開閉する前記蓋体に設け、前記ブレーキ片と係合し、かつ、前記ブレーキ片をスライドさせるツメ部とを備え、前記ツメ部を、前記蓋体が閉じた時、及び前記蓋体が完全に開いた時に、前記ブレーキ片と係合する形状にしたものである。
【０００６】
また、本発明（請求項２）に係る光ディスク装置は、請求項1記載の光ディスク装置において、前記ツメ部は、その回転中心を、前記蓋体が開閉するための蓋体の回転中心とし、該蓋体と一体して回動するものである。
【０００７】
また、本発明（請求項３）に係る光ディスク装置は、請求項１または２記載の光ディスク装置において、前記ツメ部は、前記蓋体を閉じた時に前記ブレーキ片の上方と係合する上方のツメと、前記蓋体を完全に開いた時に前記ブレーキ片の下方と係合する下方のツメとからなる、ものである。
【０００８】
【発明の実施の形態】
本発明に係る光ディスク装置は、ブレーキ片と係合する蓋のツメ部を、蓋が開いた際にブレーキ片と係合する位置と、蓋が閉じた際に、ブレーキ片と係合する位置との２箇所に設けたことを特徴とし、光ディスクを正規の位置に安定して装着することができる、という作用を有する。
【０００９】
実施の形態１．
以下に本発明の請求項１、請求項２及び請求項３に対応する光ディスク装置の実施の形態１について、図面を用いて説明する。
図１及び図２は、本発明の実施の形態１による光ディスク装置であり、図において、１は蓋、２は係止用ツメ部、３はブレ−キ片、４はばね、５は光ディスク、６は光ディスク装置本体、７はブレ−キゴム、８は係止用ツメ部、９は光ディスク保持爪である。
【００１０】
本装置は、蓋体１を開閉させて光ディスク５の挿抜を行う光ディスク装置であり、光ディスク装置本体６に、光ディスク５の外周と接触し、光ディスク５の回転を止めるためのブレーキゴム７を有するブレーキ片３が、応力により本体下部６ａに沿ってスライド可能なように設けられている。また、ブレーキ片３内には、ブレーキ片３を常に光ディスク５に押しつけるばね４が設けられており、このとき、ブレーキ片３には、常にばね４によるＣ方向への付勢力が働いている。また、蓋体１は、係止用ツメ部２、８を有し、Ａ方向に回動するものであり、係止用ツメ部２、８は、蓋体１が閉じたとき、及び完全に開いたときに、ブレ−キ片係合部３ａとそれぞれ係合し、ディスク５を押し付けるブレーキ片３をＢ方向にスライドさせるとともに、ブレーキ片３のＣ方向へのスライドを係止させるものである。また係止用ツメ部２、８は、その回転の中心を、蓋体の回転中心１ａとし、蓋体１と一体して回動する。
【００１１】
次に、本実施の形態１による光ディスク装置の動作について図１、及び図２を用いて説明する。
まず、蓋１を閉じた状態では、係止用ツメ部２がブレーキ片係合部３ａを係止しており、ブレーキ片３のブレーキゴム７は光ディスク５から離れている。このため、本光ディスク装置の、光ディスクの再生等の動作時においては、該光ディスク５は、正常に回転することができる。
【００１２】
次に、上記蓋１を閉じた状態から、上記光ディスク５を取り出すため、ディスク取り出しボタンを押す等、すると、上記蓋１が開きだすことにより、係止用ツメ部２が上方に回動して、係止用ツメ部２とブレーキ片係合部３ａとの係止が解除され、これにより、圧縮されたばね４が伸張してブレーキ片３がＣ方向に移動する。これにより、ブレーキゴム７は光ディスク５の外周部に接触して、該光ディスク５の回転を止める。
【００１３】
そして、蓋１が、完全に開いた状態になると、図２のように、係止用ツメ部８がブレーキ片係合部３ａに下方から係止し、これにより、ブレーキ片３は、Ｃ方向への付勢力に抗して光ディスク５から離れる方向に、即ち、Ｂ方向に移動し、光ディスク５は、これに外力が加わらない状態となる。
【００１４】
また、光ディスク５を装着し、蓋１を閉じる際、係止用ツメ部８とブレーキ片係合部３ａとの係止が解除され、圧縮されたばね４が伸張してブレーキ片３がＣ方向に移動した後、上述のように、係止用ツメ部２により上方からブレーキ片３を係止し、これにより、再びブレーキ片３がＢ方向に移動する。これにより、光ディスクの再生等の動作時において、該光ディスク５は正常に回転することができる。
【００１５】
このように、本発明の実施の形態１に係る光ディスク装置では、蓋１が完全に開いた状態において、装着しようとする光ディスク５に対してブレーキ片３によるブレーキがかかることがなく、光ディスク５の装着を簡易に行うことができる。
【００１６】
また、係止用ツメ部２、及び８は、それらの回転中心を、蓋体１を開閉するための蓋体の回転中心１ａとしており、これらが蓋体１と一体に回動してその各回動動作によりブレーキ片３をディスク５から離れる位置に位置せしめるようにしているので、蓋を閉めた状態と、蓋を開ききった状態とで、ともにブレーキ片による外力が光ディスクに加わることのない構造を、単に蓋１を回動させるのみで、実現することができる。
【００１７】
このようにして、本発明の光ディスク装置では、蓋１が開いた際に、ブレーキ片係合部３ａと係合する係止用ツメ部２と、蓋１が閉じた際に、ブレーキ片係合部３ａと係合する係止用ツメ部８とを蓋１に設けたことにより、蓋１を閉じた状態と、蓋１を完全に開いた状態との両方の状態において、光ディスク５にブレーキ片による外力が加わらない状態を得ることができる。
【００１８】
【発明の効果】
以上説明したように、本発明の請求項１に係る光ディスク装置によれば、蓋体を開閉させて光ディスクの挿抜を行うクラムシェル型の光ディスク装置であって、当該光ディスク装置本体側に設けられ、光ディスクの外周に接するように設けられたブレーキゴムを有するとともに、応力によりスライドし、回転する光ディスクにブレーキをかけるブレーキ片と、前記ブレーキ片を常に前記光ディスクに押しつけるばねと、前記光ディスク装置本体と嵌合して開閉する前記蓋体に設け、前記ブレーキ片と係合し、かつ、前記ブレーキ片をスライドさせるツメ部とを備え、前記ツメ部を、前記蓋体が閉じた時、及び前記蓋体が完全に開いた時に、前記ブレーキ片と係合する形状にしたから、蓋を開ききった状態では、ブレーキ片による外力が光ディスクに加わることがなく、確実に正規の位置に安定して光ディスクを装着できる光ディスク装置を提供することができる効果がある。
【００１９】
また、本発明の請求項２に係る光ディスク装置によれば、請求項1記載の光ディスク装置において、前記ツメ部は、その回転中心を、前記蓋体が開閉するための蓋体の回転中心とし、該蓋体と一体して回動するから、光ディスクの装着の際に蓋を閉めた状態と、蓋を開ききった状態とで、ともに、ブレーキ片による外力が光ディスクに加わることのない構造を、単に蓋体を回転させるのみで実現できる効果がある。
【００２０】
また、本発明の請求項３に係る光ディスク装置によれば、請求項1または２記載の光ディスク装置において、前記ツメ部は、前記蓋体を閉じた時に前記ブレーキ片の上方と係合する上方のツメと、前記蓋体を完全に開いた時に前記ブレーキ片の下方と係合する下方のツメとからなるものであるから、蓋を閉めた状態では、動作時に光ディスクが正常に回転し、また、蓋を開ききった状態では、装着時にブレーキ片による外力が光ディスクに加わることがなく、確実に正規の位置に安定して光ディスクを装着できる光ディスク装置を提供することができる効果がある。
【図面の簡単な説明】
【図１】本発明の実施の形態における光ディスク装置の蓋を閉じた際の断面図である。
【図２】本発明の実施の形態における光ディスク装置の蓋を開ききった際の断面図である。
【図３】従来の光ディスク装置の断面図である。
【符号の説明】
１  蓋
１ａ  蓋体の回転中心
２  係止用ツメ部
３  ブレーキ片
３ａ  ブレーキ片の係合部
４  ばね
５  光ディスク
６  本体
６ａ  本体下部
７  ブレーキゴム
８  係止用ツメ部
９  光ディスク保持爪
【図１】
0003712981.tif 000002
【図２】
0003712981.tif 000003
【図３】
0003712981.tif 000004